(57)【要約】【課題】駅、空港、ショッピングモール、デパートなどの大規模な種々の施設内の案内を、各ユーザーに応じて的確に行う。【解決手段】詳細レイアウトＤＢ１０４が、施設内の何処に何があるのかを示すレイアウト情報を管理する。通信Ｉ／Ｆ１０２及び制御部１０２により取得した当該施設へのユーザーの来訪目的と個人属性とに基づいて、リコメンド情報特定部１０７が詳細レイアウトＤＢ１０４で管理されているレイアウト情報を参照し、当該施設内の案内すべき場所を特定する。特定した当該施設内の案内すべき場所を案内するための情報を、リコメンド情報形成部１０８が形成してユーザーに提供する。【選択図】図２
2014178170.tif 000002
【特許請求の範囲】
【請求項１】
施設内のレイアウト情報を管理するレイアウト管理手段と、
ユーザーが来訪した施設内のユーザーの現在位置を特定する現在位置特定手段と、
ユーザーの来訪目的を取得する来訪目的取得手段と、
ユーザーの個人属性を取得する個人属性取得手段と、
取得した前記来訪目的と前記個人属性とに基づいて前記レイアウト情報を参照し、当該施設内の案内すべき場所を特定する特定手段と、
ユーザーの現在位置を考慮して、特定した案内すべき場所を案内するための情報を形成し、これをユーザーに提供する案内情報提供手段と
を備えることを特徴とする案内情報提供装置。
【請求項２】
請求項１に記載の案内情報提供装置であって、
サーバー装置と携帯通信端末とがネットワークを通じて接続されて構成され、
前記サーバー装置は、
前記レイアウト管理手段と、前記現在位置特定手段と、前記来訪目的取得手段と、前記個人属性取得手段と、前記特定手段と、前記案内情報提供手段とを備え、
前記レイアウト管理手段は、施設内に設置された１以上の無線局から送信される信号の施設内の各位置における受信電界強度と送信元の当該無線局の識別情報とを管理しており、
前記現在位置特定手段は、前記携帯通信端末から提供される受信した施設内の１以上の各無線局からの信号の受信電界強度と１以上の各無線局の識別情報とに基づいて、前記レイアウト管理手段の情報を参照し、ユーザーの施設内の現在位置を特定するものであり、
前記来訪目的取得手段は、前記携帯通信端末から前記ネットワークを通じて提供される来訪目的を取得し、
前記個人属性取得手段は、前記携帯通信端末から前記ネットワークを通じて提供される個人属性を取得し、
前記案内情報提供手段は、前記ネットワークを通じて前記携帯通信端末に前記案内するための情報を提供し、
前記携帯通信端末は、
施設内の前記無線局からの信号を受信して、受信電界強度を検知する検知手段と、
施設内の前記無線局からの信号を受信して、送信元の無線局の識別情報を抽出する抽出手段と、
検知した前記受信電界強度と当該受信電界強度の信号の送信元である無線局の識別情報とを前記ネットワークを通じて前記サーバー装置に提供する施設内局情報提供手段と、
ユーザーの来訪目的を、前記ネットワークを通じて前記サーバーそちに提供する来訪目的提供手段と、
ユーザーの個人属性を、前記ネットワークを通じて前記サーバー装置に提供する個人属性提供手段と、
前記ネットワークを通じて前記サーバー装置から提供される前記案内するための情報を取得して出力する出力手段と
を備えることを特徴とする案内情報提供装置。
【請求項３】
請求項１に記載の案内情報提供装置であって、
サーバー装置と携帯通信端末とがネットワークを通じて接続されて構成され、
前記サーバー装置は、
前記レイアウト管理手段を備え、
前記レイアウト管理手段は、施設内に設置された１以上の無線局から送信される信号の施設内の各位置における受信電界強度と送信元の当該無線局の識別情報とを管理しており、
前記携帯通信端末は、
前記現在位置特定手段と、前記来訪目的取得手段と、前記個人属性取得手段と、前記特定手段と、前記案内情報提供手段とを備えると共に、
前記サーバー装置から目的とする施設のレイアウト情報を取得するレイアウト情報取得手段と、
施設内の前記無線局からの信号を受信して、受信電界強度を検知する検知手段と、
施設内の前記無線局からの信号を受信して、送信元の無線局の識別情報を抽出する抽出手段と
を備え、
前記現在位置特定手段は、受信した１以上の無線局からの信号の受信電界強度と当該無線局の識別情報に基づいて、取得した目的とする施設の前記レイアウト情報を参照することによりユーザーの施設内の現在位置を特定するものであることを特徴とする案内情報提供装置。
【請求項４】
請求項１、請求項２または請求項３のいずれかに記載の案内情報提供装置であって、
施設に関する情報であって、ユーザーに提供すべき提供情報を記憶保持する提供情報記憶手段と、
取得した前記来訪目的と前記個人属性とに基づいて前記提供情報を参照し、当該施設に関する情報を抽出する提供情報抽出手段と、
抽出した情報をユーザーに提供する情報提供手段と
を備えることを特徴とする案内情報提供装置。
【請求項５】
請求項１、請求項２、請求項３または請求項４に記載の案内情報提供装置であって、
レイアウトに関する変更情報を受け付ける変更情報受付手段と、
受け付けたレイアウトに関する変更情報に基づいて、前記レイアウト管理手段で管理されている前記レイアウト情報を更新する更新手段と
を備えることを特徴とする案内情報提供装置。
【請求項６】
請求項１、請求項２、請求項３、請求項４または請求項５のいずれかに記載の案内情報提供装置であって、
前記レイアウト管理手段は、複数の施設についてのレイアウト情報を管理しており、
施設ごとに各施設の特性に応じた来訪目的を管理する来訪目的管理手段を備え、
前記来訪目的取得手段は、前記来訪目的管理手段で管理されている情報に基づいて、ユーザーが来訪した施設の特性に応じた来訪目的を取得することを特徴とする案内情報提供装置。
【請求項７】
施設内のレイアウト情報をレイアウト管理手段で管理しておき、
ユーザーが来訪した施設内のユーザーの現在位置を、現在位置特定手段を通じて特定する現在位置特定工程と、
来訪目的取得手段を通じて、ユーザーの来訪目的を取得する来訪目的取得工程と、
個人属性取得手段を通じて、ユーザーの個人属性を取得する個人属性取得工程と、
取得した前記来訪目的と前記個人属性とに基づいて、特定手段が前記レイアウト情報を参照し、当該施設内の案内すべき場所を特定する特定工程と、
案内情報提供手段が、ユーザーの現在位置を考慮して、特定した案内すべき場所を案内するための情報を形成し、これをユーザーに提供する案内情報提供工程と
を備えることを特徴とする案内情報提供方法。
【発明の詳細な説明】
【技術分野】
【０００１】
この発明は、例えば、駅、空港、ショッピングモール、デパートなどの大規模施設内に関する案内を行う装置及び方法に関する。
【背景技術】
【０００２】
後に記す特許文献１〜４には、大規模施設内の目的地にユーザーを案内する技術が開示されている。これら特許文献１〜４に記載の発明は、目的地を指示することにより、その指示した目的地にユーザーを案内することを実現している。また、後に記す特許文献５には、ショッピングモール等に配置されたデジタルサイネージで広告されている店舗への案内情報を、当該デジタルサイネージから携帯情報端末装置に提供して、当該携帯情報端末装置のユーザーを案内する技術が開示されている。また、特許文献６、７には、行動目的や利用目的に応じて、空港内の案内を行う技術が開示されている。
【先行技術文献】
【特許文献】
【０００３】
【特許文献１】特開２０１０−２８６２７１号公報
【特許文献２】特開２０１０−２６６１５６号公報
【特許文献３】特開２００８−０３３０４３号公報
【特許文献４】特開２００４−１４４６９５号公報
【特許文献５】特開２０１２−１０８８０１号公報
【特許文献６】特開２０１１−０８５５８０号公報
【特許文献７】特開２０００−０３５９９７号公報
【発明の概要】
【発明が解決しようとする課題】
【０００４】
上述した特許文献１〜４に記載の技術の場合、施設内の目的地を直接的に、または、間接的に指示しなければならない。このため、大規模な施設になればなるほど目的地を特定して指示することは難しいし、また、間接的に種々の情報を利用して目的地を特定する場合であっても、その間接的な情報の入力に手間が掛かる場合もあり、却って面倒である。また、上述した特許文献５に記載の技術の場合、デジタルサイネージを通じて広告を行っている店舗等には案内できるが、デジタルサイネージを通じて広告を行っていない店舗への案内は当然ながら行えない。
【０００５】
また、特許文献６、７に記載の発明の場合、案内対象の施設は空港に限定されており、行動目的や利用目的は、搭乗か、見送りか、出迎えか、見物かといったものに絞られる。しかし、大規模な施設には、空港の他にも、ターミナル駅、ショッピングモールやデパートなどの大規模商業施設など種々の施設が存在し、それら種々の施設ごとに、ユーザーの来訪目的は様々である。また、性別、年齢、趣味などの個人属性が異なれば、ユーザーの来訪目的も様々に異なるものと考えられる。
【０００６】
このため、ユーザーに多大な負荷を負わせること無く、ユーザーの来訪目的や個人属性に応じて、大規模施設内で案内すべき場所を特定し、その特定した場所へスマートに案内できるようにすることが望まれている。
【０００７】
以上のことに鑑み、この発明は、例えば、駅、空港、ショッピングモール、デパートなどの種々の大規模施設内に関する案内を、各ユーザーに応じて的確に行うことを目的とする。
【課題を解決するための手段】
【０００８】
上記課題を解決するため、請求項１に記載の発明の案内情報提供装置は、
施設内の何処に何があるのかを示すレイアウト情報を管理するレイアウト管理手段と、
ユーザーが来訪した施設内のユーザーの現在位置を特定する現在位置特定手段と、
ユーザーの来訪目的を取得する来訪目的取得手段と、
ユーザーの個人属性を取得する個人属性取得手段と、
取得した前記来訪目的と前記個人属性とに基づいて前記レイアウト情報を参照し、当該施設内の案内すべき場所を特定する特定手段と、
ユーザーの現在位置を考慮して、特定した案内すべき場所を案内するための情報を形成し、これをユーザーに提供する案内情報提供手段と
を備えることを特徴とする。
【０００９】
請求項１に記載の発明の案内情報提供装置によれば、レイアウト管理手段が、施設内の何処に何があるのかを示すレイアウト情報を管理する。来訪目的取得手段により取得した当該施設へのユーザーの来訪目的と、個人属性取得手段により取得したユーザーの個人属性とに基づいて、特定手段がレイアウト管理手段で管理されているレイアウト情報を参照し、当該施設内の案内すべき場所を特定する。そして、特定した当該施設内の案内すべき場所を案内するための情報を、案内情報提供手段が形成してユーザーに提供する。
【００１０】
これにより、ユーザーがいちいち目的とする場所を指示することなく、自己の来訪目的と個人属性に応じて、施設内の当該ユーザーにとって最適な場所を特定し、この特定した場所に当該ユーザーを案内できる。
【発明の効果】
【００１１】
この発明は、例えば、駅、空港、ショッピングモール、デパートなどの種々の大規模施設内に関する案内を、ユーザーに大きな負荷を負わせること無く、各ユーザーに応じて的確に行うことができる。
【図面の簡単な説明】
【００１２】
【図１】この発明の案内情報提供装置の全体構成を説明するための図である。
【図２】サーバー装置１の構成例を説明するためのブロック図である。
【図３】大規模商業施設である例えば商業施設の１階のレイアウトの例を示す図である。
【図４】詳細レイアウトＤＢ１０４の格納データの概要を説明するための図である。
【図５】関連情報ＤＢ１０５の格納データの一例を説明するための図である。
【図６】携帯電話端末４の構成例を説明するためのブロック図である。
【図７】サーバー装置１で行われる処理を説明するためのフローチャートである。
【図８】携帯電話端末４において、施設内案内アプリが実行された場合に行われる処理を説明するためのフローチャートである。
【図９】図８に続くフローチャートである。
【図１０】施設内案内アプリが実行された場合に携帯電話端末４の表示部４０８に表示される表示画面の例を説明するための図である。
【図１１】施設内案内アプリが実行された場合に携帯電話端末４の表示部４０８に表示される表示画面の例を説明するための図である。
【発明を実施するための形態】
【００１３】
以下、図を参照しながら、この発明の装置、方法の一実施の形態について説明する。この発明の案内情報提供装置は、種々の大規模施設の主に屋内の案内を可能にするものである。そして、この発明の案内情報提供装置は、大規模施設のレイアウト情報を保持する携帯通信端末によって、いわゆるスタンドアロン型の装置として実現できる。しかし、携帯通信端末の負荷を大きくすることなく、種々の大規模施設にも対応可能にするため、以下においては、ネットワークを通じて接続されるサーバー装置と携帯通信端末とにより、この発明の案内情報提供装置を実現する場合を中心に説明する。
【００１４】
なお、サーバー装置と携帯通信端末とにより案内情報提供装置を構成する場合、携帯通信端末としては、スマートフォンと呼ばれる高機能携帯電話端末やタブレットＰＣ（ＰＣはパーソナルコンピュータの略称。）などの種々のものを利用できる。しかし、以下に説明する実施の形態では、近年、広く普及してきているスマートフォンと呼ばれる高機能携帯電話端末を用いる場合を例にして説明する。
【００１５】
［実施の形態の案内情報提供装置の全体構成］
図１は、この実施の形態の案内情報提供装置の全体構成を説明するための図である。この実施の形態の案内情報提供装置は、施設内情報提供サーバー装置（以下、単にサーバー装置という。）１と、高機能携帯電話端末（以下、単に携帯電話端末という。）４（１）、４（２）、…とが、ネットワーク２を通じて接続されて構成される。
【００１６】
サーバー装置１は、駅、空港、ショッピングモール、ショッピングセンター、デパートなどの種々の大規模施設のレイアウト情報等を記憶保持する。レイアウト情報は、大規模施設内の何処にどのような個別施設があるのか、また、それらの個別施設はどのようなものか（個別施設の属性）などを正確に把握できるものである。ネットワーク２は、主にインターネットであるが、携帯電話端末４等のユーザー端末装置からインターネットまでを接続する、携帯電話網や種々のＬＡＮ（Local Area Network）等を含む。この実施の形態においてネットワーク２は、図１に示すように、大規模施設内に設置された例えばＷｉ−Ｆｉ（Wireless Fidelity）規格のアクセスポイント（以下、ＡＰと略称する。）３（１）、３（２）、３（３）、…を含む無線ＬＡＮを含んでいる。
【００１７】
携帯電話端末４（１）、４（２）、…は、上述もしたように比較的に大きな表示画面を備えたいわゆるスマートフォンと呼ばれるものであり、携帯電話網を通じての通信に加えて、Ｗｉ−Ｆｉ規格の通信機能をも備えている。そして、携帯電話端末４（１）、４（２）、…のそれぞれは、自機が接続可能なＡＰ３（１）、３（２）、…等を通じて、ネットワーク２に接続し、サーバー装置１との間でデータの送受を行える。また、携帯電話端末４（１）、４（２）、…のそれぞれは、接続可能なＡＰか否かを問わず、近隣のＡＰとの間で通信を行ってそのＡＰの識別情報であるＳＳＩＤ（Service Set Identifier）や受信電界強度を検出できる。
【００１８】
そして、サーバー装置１で記憶保持されるレイアウト情報では、大規模施設ごとに各大規模施設に設置された各ＡＰのＳＳＩＤをも管理している。これにより、ＳＳＩＤから特定されるＡＰが設置された大規模施設を特定できる。また、種々の大規模施設のレイアウト情報には、各大規模施設内の各位置において、どのＡＰからの送信信号を、どの位の受信電界強度で受信できるかを示す情報も含まれる。ここで、各大規模施設内の各位置は、各大規模施設において、例えば所定位置を基準にして一意に定められる複数の位置（座標位置）を意味する。
【００１９】
そして、各位置において、どのＡＰからの送信信号を、どの位の受信電界強度で受信できるかを示す情報は、事前の実地調査（実地測定）により取得され、レイアウト情報の一部として組み込まれている。したがって、各位置において、複数のＡＰからの送信信号を受信できる場合には、それら複数の信号のそれぞれごとに、ＳＳＩＤと受信電界強度とが把握され、管理される。この大規模施設の各位置における受信信号の送信元を示すＳＳＩＤと受信信号の受信電界強度とは、１以上の受信信号のそれぞれの送信元を示すＳＳＩＤと受信電界とを送信してくる携帯電話端末４（１）、４（２）、…の現在位置の特定に用いられる。
【００２０】
そして、大規模施設を訪れた（大規模施設に立寄った）ユーザーが携帯電話端末４（１）を所持していたとする。この場合、携帯電話端末４（１）において、詳しくは後述する案内情報の提供を受けるための所定のアプリケーションソフトウェア（以下、施設内案内アプリという。）を実行する。すると、携帯電話端末４（１）は、１以上の受信信号のそれぞれから送信元のＡＰのＳＳＩＤと受信電界強度とを検出し、これらをネットワーク２を通じてサーバー装置１に送信する。
【００２１】
サーバー装置１においては、携帯電話端末４（１）から送信されて来るＡＰのＳＳＩＤから、そのＡＰが設置されている大規模施設を特定する。次に、サーバー装置１においては、携帯電話端末４（１）からの１以上の受信信号から検出したＳＳＩＤ及び受信電界強度と、レイアウト情報に含まれるＳＳＩＤ及び受信電界強度に基づき、携帯電話端末４（１）の現在位置を特定する。すなわち、携帯電話端末４（１）を所持するユーザーは、どの大規模施設を訪れ、その大規模施設の何処にいるのかを特定できる。
【００２２】
さらに、携帯電話端末４（１）を所持するユーザーが当該大規模施設を訪れた目的（来訪目的）と当該ユーザーの個人属性（性別、年齢、趣味など）を、携帯電話端末４（１）からネットワーク２を通じてサーバー装置１に送信する。サーバー装置１は、携帯電話端末４（１）からの来訪目的と個人属性とに基づいて、レイアウト情報を参照し、当該ユーザーを案内すべき当該施設内の最適な場所を特定する。そして、ユーザーの現在位置から特定した場所へ案内する情報を形成し、これを携帯電話端末４（１）に送信し、携帯電話端末４（１）を通じてユーザーに提供する。
【００２３】
これにより、携帯電話端末４（１）を所持するユーザーは、従来のように、大規模施設のレイアウトが記載された案内看板を参照し、自分が行きたい場所を確認して、その場所に向うといった対応を取る必要がなくなる。すなわち、大規模施設を訪れたユーザーは、自己の所持する携帯電話端末を通じて、必要な情報の提供を受けることができる。換言すれば、サーバー装置１と携帯電話端末４（１）により、リコメンド型施設内ナビゲーションシステムとしての案内情報提供装置を実現し、携帯電話端末のユーザーが欲する情報をほぼ自動的に配信できる。
【００２４】
なお、ここでは、大規模施設を訪れたユーザーに適した場所を特定し、案内する場合を説明したが、これに限るものではない。例えば、案内すべき場所に関する種々の情報を特定し、これを提供できる。例えば、ユーザーが訪れた大規模施設が、商業施設で、目的がバーゲンである場合に、バーゲンを行っている店舗への案内を行うほか、記念品の引き換え券が必要な場合にはその配布場所を案内したり、バーゲンを行う時間や販売する商品の販売数量を案内したりすることもできる。
【００２５】
また、大規模施設が空港である場合、来訪目的が飛行機への搭乗であれば、チケットカウンターや搭乗口に案内する情報を提供すると共に、搭乗便運行状況を案内することもできる。また、例えば、東京スカイツリーなどのような大規模施設に、見物（見学）を目的として来訪したユーザーに対しては、入口を案内すると共に、例えば混雑統計から特定される入場までにかかる待ち時間を提供するなどのことも可能である。
【００２６】
以下に、この実施の形態の案内情報提供装置を構成するサーバー装置１と携帯電話端末４（１）、４（２）、…の具体的な構成例について説明する。なお、図１においては、２つの携帯電話端末４（１）、４（２）しか示していないが、実際には多数のユーザーの多数の携帯電話端末が、ネットワーク２を通じてサーバー装置１と接続され、多数の案内情報提供装置が構成される。そして、携帯電話端末４（１）、４（２）、…のそれぞれは、基本的な構成は同様のものであるので、以下においては、携帯電話端末４（１）、４（２）、…を総称して携帯電話端末４という。また、ＡＰ３（１）、３（２）、…についても、特に区別して示す場合を除き、ＡＰ３と記載する。
【００２７】
［施設内情報提供サーバー装置１の構成例］
図２は、この実施の形態のサーバー装置１の構成例を説明するためのブロック図である。図２に示すサーバー装置１において、通信Ｉ／Ｆ１０１は、ネットワーク２を通じて受信した信号を自機が処理可能なデータに変換して取り込んだり、送信用の種々のデータをプロトコルに準拠した信号に変換してネットワーク２に送出したりする。
【００２８】
制御部１０２は、サーバー装置１の各部を制御するものであり、図示しないが、ＣＰＵ（Central Processing Unit）、ＲＯＭ（Read Only Memory）、ＲＡＭ（Random access Memory）がＣＰＵバスを通じて接続されて構成されたコンピュータ装置である。また、制御部１０２は、種々のアプリケーションを実行するアプリケーション実行部としても機能する。記憶装置１０３は、記録媒体としてハードディスクを備え、種々のアプリケーションプログラムや種々の処理により得られたデータ等のハードディスクへの書込み／記録保持／読み出し／削除を行う。
【００２９】
詳細レイアウトＤＢ１０４、関連情報ＤＢ１０５のそれぞれは、ハードディスクなどの大容量記録媒体に形成され、所定のデータを記憶保持する。ここで、文字「ＤＢ」は、データベースの略称である。
【００３０】
詳細レイアウトＤＢ１０４は、各大規模施設のレイアウト情報を大規模施設ごとに保持する。なお、大規模施設が複数階からなるものである場合には、大規模施設ごとであって、階数ごとにレイアウト情報を記憶保持する。図３は、大規模商業施設である例えば商業施設の１階のレイアウトの例を示す図である。また、図４は、詳細レイアウトＤＢ１０４の格納データの概要を説明するための図である。
【００３１】
図３に示したレイアウトの例では、図３の左側と右側と下側に出入口が存在する。そして、図３の左側から見ていくと、図３の下側には自転車売り場、サービスカウンタ、洋菓子、和菓子売り場、出入口、お酒売り場、ガーデニング用品売り場、エレベータとトイレと催事スペース、１００円ショップ、階段があることが示されている。また、図３の左側から見ていくと、図３の上側には薬局、服飾売り場、アクセサリー売り場、エスカレータ、書籍売り場、スポーツ用品売り場、ゴルフ用品売り場があることが示されている。このような、レイアウトを実際に書き表すことができるようにするラスターデータ、ベクトルデータ、文字データなどが、大規模施設ごとであって階数ごとに詳細レイアウトＤＢ１０４に記憶保持される。
【００３２】
また、当該商業施設の１階に、図３において黒丸印で示した位置にＷｉ−Ｆｉ方式のＡＰ３（１）、３（２）、…、３（１２）が設置されている場合を考える。このように設置されている全てのＡＰ３のＳＳＩＤが詳細レイアウトＤＢ１０４で管理される。また、レイアウト内に各ＡＰ３からの送信信号の計測を行う複数の計測位置を定める。そして、それらの複数の計測位置において、どのＡＰ３からの送信信号を、どの位の受信電界強度で受信したかを計測し、その計測結果を示す情報が、大規模施設ごとであって階数ごとに、詳細レイアウト情報ＤＢ１０４に格納する。
【００３３】
ここで、複数の計測位置は、例えば、図３において点線で示すように、各フロアのレイアウト内を、Ｘ軸方向に複数個に分割する線とＹ軸方向にも複数個に分割する線とを引き、各線の交点となる位置を計測位置とする。そして、各計測位置は、図３に示したレイアウトの左上端部を原点ＯとするＸ−Ｙ座標系の座標位置として特定できる。そして、各計測位置で実際に各ＡＰからの送信信号を受信し、どのＡＰからの送信信号をどの位の受信電界強度で受信できたかの実測値を、大規模施設ごとであって、階数ごとに、詳細レイアウトＤＢ１０４に格納する。すなわち、Ｗｉ−ＦｉのＡＰなどの情報がマッピングされている。なお、ここで説明した複数の計測位置の設定方法は一例であり、その他の種々の方法を用いて、複数の計測位置を設定してもよい。
【００３４】
そして、具体的に詳細レイアウトＤＢ１０４の格納データは、図４に示すように、施設コードと名称により特定される大規模施設ごとに、当該大規模施設に設置されている複数のＡＰ３それぞれのＳＳＩＤ情報が記憶保持される。もちろん、大規模施設ごとであって各階ごとに、設置されている複数のＡＰ３それぞれのＳＳＩＤ情報を管理することもできる。また、例えば図３に示したように形成される大規模施設のレイアウト図を作図するためのベクトルデータ、ラスターデータ、名称等の文字データ等からなるレイアウトデータが、大規模施設ごとであって各階ごとに詳細レイアウトＤＢ１０４に記憶保持される。この他にも、大規模施設内に設けられる個別施設である各売り場等の属性情報を各売り場等に関連付けて記憶保持している。
【００３５】
さらに、詳細レイアウトＤＢ１０４には、上述した複数の計測位置ごとに、どのＡＰ３からの送信信号が、どの位の受信電界強度で受信できたかを示す情報が、大規模施設ごとであって各階ごとに記憶保持される。各計測位置では、通常、複数の異なるＡＰからの送信信号を受信できるので、受信できた複数の送信信号のそれぞれを送信しているＡＰのＳＳＩＤと受信電界強度とが、各計測位置に対応付けられて記憶保持される。なお、図４では、「（ｘ１、ｙ１）」が測定位置に対応する座標位置を、「ＡＰ３（１）」、「ＡＰ３（２）」、…等が、受信した信号の送信元のＡＰ３のＳＳＩＤを、また、「ａａａ」、「ｂｂｂ」が、受信した信号の受信電界強度に対応している。
【００３６】
関連情報ＤＢ１０５は、各大規模施設に設けられた個別施設に関する情報やその大規模施設自体に関する情報などが格納される。図５は、関連情報ＤＢ１０５の格納データの一例を説明するための図である。図５に示すように、関連情報ＤＢ１０５には、大規模施設ごと、各階ごと、個別施設コードで識別される個別施設ごとに、案内情報が格納される。図５に示した例では、施設コードが「０００１」で特定される大規模施設の「○○ショッピングモール」の１階に設けられている、個別施設コードが「００１」である「○○薬局」についての案内情報が格納されている場合を示している。図５に示した例では、当該「○○薬局」では、現在、「カゼ薬セール中で、ポイントが３倍になる」との案内情報が格納されている場合を示している。
【００３７】
なお、図５に示した例は一例であり、例えば、大規模施設が空港である場合には、当該大規模施設の情報として、搭乗便運行情報が関連情報ＤＢ１０５に用意される。もちろん、ここ説明した内容は、一例であり、大規模施設内に設けられた個別施設に関する種々の情報や大規模施設自体に関する種々の情報を関連情報ＤＢ１０５で管理できる。
【００３８】
現在位置特定部１０６は、大規模施設を訪れたユーザーの携帯電話端末４から提供される当該携帯電話端末４が受信した１以上のＡＰ３からの送信信号のそれぞれのＳＳＩＤと受信電界強度とから、当該携帯電話端末４の当該大規模施設内での現在位置を特定する。具体的に現在位置特定部１０６は、まず、携帯電話端末４からのＳＳＩＤに基づいて、詳細レイアウトＤＢ１０４の設置ＡＰのＳＳＩＤ情報を参照し、当該携帯電話端末４は、どの大規模施設に来ているのかを特定する。
【００３９】
次に、現在位置特定部１０６は、携帯電話端末４からの１以上のＳＳＩＤと対応する受信電界強度と、詳細レイアウトＤＢ１０４の計測位置ごとのＳＳＩＤと受信電界強度とに基づいて、当該大規模施設内の当該携帯電話端末４の現在位置を特定する。このような現在位置の特定方法は、Ｗｉ−Ｆｉのアクセスポイント情報から施設内、店舗内の自己位置を特定する技術として既に確率されている技術を用いることができる。
【００４０】
リコメンド情報特定部１０７は、大規模施設に来たユーザーの携帯電話端末４から提供される、当該ユーザーの当該大規模施設への来訪目的と当該ユーザーの個人属性とに基づいて、ユーザーに提供すべきリ情報（リコメンド情報）を特定する。ユーザーの大規模施設への来訪目的は、後述もするが、例えば、トイレ、授乳、買い物、バーゲン、暇つぶし、飲食などであり、個人属性は、ユーザーの性別、年齢、趣味、食べ物の好みなどのユーザー個人に関する種々の情報である。
【００４１】
そして、リコメンド情報特定部１０７は、例えば、来訪目的が「トイレ」であり、ユーザーの個人属性が「男性」である場合には、現在位置から一番近い「男性用トイレ」への経路を案内する情報をリコメンド情報として特定する。なお、当該大規模施設の各所に設置された監視カメラからの情報に基づいて、当該大規模施設内の個別施設の混雑状況をリアルタイムに例えば詳細レイアウトＤＢ１０４、あるいは、関連情報ＤＢ１０５で管理可能であるとする。この場合、リコメンド情報特定部１０７は、案内すべき場所の混雑状況を考慮し、例えば、最寄りの男性用トイレが混在している場合には、比較的に空いている男性用トイレを案内先とすることも可能である。
【００４２】
また、リコメンド情報特定部１０７は、来訪目的が「買い物」である場合、さらに目的とする商品に関する情報を、携帯電話端末４を通じて得て、当該「商品」を販売している店舗を特定し、当該店舗への経路を案内する情報をリコメンド情報として特定する。また、その店舗に関する情報を関連情報ＤＢ１０５から取得する処理なども行う。
【００４３】
リコメンド情報形成部１０８は、リコメンド情報特定部１０７によって特定されたリコメンド情報から、実際に携帯電話端末４に提供する形式のリコメンド情報を形成し、これを通信Ｉ／Ｆ１０１を通じて、要求元の携帯電話端末４に提供する。例えば、特定したリコメンド情報が、現在位置から一番近い「男性用トイレ」への経路を案内する情報であるとする。この場合、リコメンド情報形成部１０８は、詳細レイアウトＤＢ１０４のレイアウトデータを利用し、現在位置から最寄りの「男性用トイレ」へ案内するための表示画像を形成して、これを要求元の携帯電話端末４に提供する。
【００４４】
このように、リコメンド情報特定部１０７とリコメンド情報形成部１０８とは協働して動作する。リコメンド情報特定部１０７とリコメンド情報形成部１０８とは、詳細レイアウトＤＢ１０４や関連情報ＤＢ１０５の情報を用い、大規模施設を訪れたユーザーに対して提供すべき情報を特定し、これをできるだけ見易い態様にして提供する機能を実現する。
【００４５】
そして、ユーザーが来た大規模施設が商業施設である場合における提供する情報には、以下のようなものがある。例えば、上述もしたように、来訪目的が「トイレ」の場合、ユーザーの男女の属性から最寄りのトイレを案内表示する。換言すれば、現在位置から最寄りのトイレまでの経路案内のための表示を行う。この場合、監視カメラの映像の提供をリアルタイムに受けることにより、当該映像からトイレの個室のドアが全て閉じている場合には、そのトイレは案内せず、個室が空いているトイレを案内するといったことができる。
【００４６】
また、来訪目的が「買い物」である場合には、さらに、「目的とする商品は何か」を、携帯電話端末４を通じてユーザーに問い合わせ、これに応じた売り場案内や売り場内の位置案内（経路案内）を行える。なお、売り場内の位置案内を行う場合には、図３に示したような各フロア（各階）のレイアウト情報の他に各売り場内のレイアウト情報も記憶保持しておく必要がある。また、来訪目的が「買い物」で、目的とする商品が「セーター」であり、個人属性が「女性」である場合には、「女性物のセーター」売り場への案内表示を提供できる。
【００４７】
また、来訪目的が「暇つぶし」である場合、個人属性の趣味の情報から、書籍、ファッション、１００円ショップ、展示場、喫煙所、土産物などの種々の売り場の案内表示（経路案内）を提供できる。また、当該ユーザーから、つぶしたい時間の提供をも求め、当該つぶしたい時間をも考慮して、案内する場所を特定することもできる。例えば、つぶしたい時間が２０分位であり、喫煙家のユーザーの場合には喫煙所へ案内したり、つぶしたい時間が１時間位であり、趣味が読書であるユーザーには、書籍売り場へ案内したりできる。
【００４８】
また、来訪目的が「バーゲン」の場合、バーゲンを行っている売り場への案内表示（経路案内）を提供すると共に、粗品の引き換え券や入場整理券が必要な場合には、その配布場所を案内表示したりできる。また、バーゲンの開催時間（開始時間と終了時間）やバーゲン品の限定個数（残数）などを案内したり、また、バーゲン会場の映像をストリーム配信したりすることもできる。この場合、入場整理券等の配布場所やバーゲンの開催時間などは、例えば関連情報ＤＢ１０５で管理できる。これらの情報を詳細レイアウトＤＢで管理する構成にすることもできる。また、バーゲン品の残数はリアルタイムに関連情報ＤＢ１０５の対応情報を更新可能な構成とすることにより実現できる。また、バーゲン会場の映像は、当該会場に設置したカメラからの映像を、サーバー装置１を通じて配信可能な構成とすることにより実現できる。
【００４９】
また、ユーザーが訪れた大規模施設が空港であり、来訪目的が「飛行機への搭乗」であり、個人属性の「チェックインの有無」に応じて、「チェックインがまだ」のユーザーの場合には、チケットカウンターへの案内表示（経路案内）を提供する。また、「チェックイン済み」のユーザーの場合には、搭乗口への案内表示（経路案内）を提供する。この場合、搭乗便運行状況等を提供することもできる。搭乗便運行状況等は、関連情報ＤＢ１０５で管理したり、あるいは、航空会社のデータベースにアクセスして取得したりできる。また、「チェックインの有無」は、携帯電話端末４の近距離無線通信機能を用いることにより、空港のチケットカウンターに設置された機器との情報の送受を行うことによって、ほぼ自動的に携帯電話端末４において個人属性の１つの情報として管理できる。
【００５０】
また、ユーザーが訪れた大規模施設が例えば東京スカイツリーなどの観光スポットであり、来訪目的が「見物」である場合には、入口や見学経路の案内表示（経路案内）を提供すると共に、例えば、株式会社ゼンリンデータコムが提供する混雑統計から待ち時間を案内できる。なお、混雑統計に応じた待ち時間は、株式会社ゼンリンデータコムが運営するサーバー装置からこの実施の形態のサーバー装置１がネットワーク２を通じて取得する構成をとることができる。
【００５１】
また、図２において、ＤＢ更新部１０９は、更新情報に基づいて、詳細レイアウトＤＢ１０４や関連情報ＤＢ１０５の格納データを更新する機能を実現する。当該更新情報は、例えば、大規模施設のサーバー装置や大規模施設内の個別施設のストアコントローラなどの管理装置から提供されるレイアウトの変更情報やセール情報などである。
【００５２】
このように、この実施の形態のサーバー装置１は、種々の大規模施設の詳細レイアウト情報（図４）を管理する。そして、大規模施設に来たユーザーの携帯電話端末４からの１以上のＡＰ３からの送信信号のそれぞれを受信することにより得られるＳＳＩＤと受信電界強度に基づき、当該携帯電話端末４が位置する大規模施設と、当該携帯電話端末４の当該大規模施設内の現在位置を特定する。そして、サーバー装置１は、当該携帯電話端末４から提供される、当該大規模施設への来訪目的と個人属性とから、当該携帯電話端末４を所持するユーザーに提供すべき情報を特定し、これを携帯電話端末４を通じて提供できるようにしている。
【００５３】
［携帯電話端末４の構成例］
図６は、この実施の形態の携帯電話端末４の構成例を説明するためのブロック図である。図６に示す携帯電話端末４において、無線通信部４０１は、ネットワーク２を通じて受信した信号を自機が処理可能なデータに変換して取り込んだり、送信用の種々のデータをプロトコルに準拠した信号に変換してネットワーク２に送出したりする。当該無線通信部４０１には、送受信アンテナ４０１Ａが接続されている。
【００５４】
制御部４０２は、携帯電話端末４の各部を制御するものであり、図示しないが、ＣＰＵ、ＲＯＭ、ＲＡＭがＣＰＵバスを通じて接続されて構成されたコンピュータ装置である。また、制御部４０２は、種々のアプリケーションを実行するアプリ実行部としても機能する。記憶装置４０３は、記録媒体として不揮発性メモリを備え、種々のアプリケーションプログラムや種々の処理により得られたデータ等の不揮発性メモリへの書込み／記録保持／読み出し／削除を行う。また、記憶装置４０３では、種々の個人属性を示す情報も記憶保持される。
【００５５】
操作部４０４は、携帯電話端末４に設けられたハードウェアキーからなり、ユーザーからの操作入力を受け付けて、受け付けた情報を制御部４０２に供給する。なお、操作部４０４に設けられたハードウェアキーは例えば電源のオン／オフキーや基本機能を実行するための幾つかのファンクションキー等である。
【００５６】
センサ部４０５は、加速度センサや方位センサ（地磁気センサ）や高度センサ（気圧センサ）を備える。加速度センサは、携帯電話端末４の例えば姿勢を特定するために携帯電話端末４の傾きを検出する。方位センサは、地磁気を検出することにより、携帯電話端末４がどちらの方向を向いているかを検出する。また、高度センサは、携帯電話端末４の所在位置の高度を検出する。これらのセンサにより、携帯電話端末４の姿勢や向きを特定し、いわゆるナビゲーション機能等を適切に提供できるようにしている。また、ユーザーが何階にいるのかの推定も可能になる。
【００５７】
なお、ユーザーが何階にいるのかは、携帯電話端末４が受信するＡＰ３からの信号のＳＳＩＤと受信電界強度に応じて特定することもできる。また、センサ部４０５は、３軸（前後、左右、上下）の加速度センサ他、加速度センサと角速度センサを組み合わせた６軸センサが用いられる場合もある。
【００５８】
無線ＬＡＮ部４０６は、Ｗｉ−Ｆｉ規格の無線ＬＡＮに対応し、近隣のＷｉ−Ｆｉ規格のＡＰ（アクセスポイント）との間で信号の送受信を行う。なお、無線ＬＡＮ部４０６は、受信した信号から当該受信した信号の送信元のＡＰを特定するＳＳＩＤを検出したり、また、受信した信号の受信電界強度を検出したりする機能をも備える。また、無線ＬＡＮ部４０６には、無線ＬＡＮアンテナ４０６Ａが接続されている。ＧＰＳ部４０７およびＧＰＳアンテナ４０７Ａは、自機の現在位置を測位するものである。
【００５９】
表示部４０８は、種々の画像データや映像データの供給を受けて、これを映像信号に変換し、当該映像信号に応じた画像や映像を自己の表示画面に表示する。また、表示部４０８の表示画面に貼付されたタッチパネル４０９は、表示画面に表示される情報と共に、いわゆるソフトウェアキーを構成する。したがって、制御部４０２は、タッチパネル４０９からのユーザーの指示位置を示す情報と当該指示位置に対応する表示部４０８の表示画面上に表示された情報とに基づいて、ユーザーからの指示入力が認識できるようになっている。
【００６０】
音声処理部４１０は、これに供給される種々の音声データをアナログ音声信号に変換し、これをスピーカ４１１に供給する。これにより、音声処理部４１０に供給された音声データに応じた音声がスピーカ４１１から放音される。これら音声処理部４１０およびスピーカ４１１は、ＴＴＳ（Text To Speech）機能を実現する場合などに用いられる。
【００６１】
送信情報形成部４１２は、詳しくは後述する施設内案内アプリが制御部４０２で実行されている場合に、制御部４０２の制御の下、携帯電話端末４の識別情報と必要な情報とを含むサーバー装置１を送信の相手先とする送信情報を形成する。送信情報形成部４１２で形成された送信情報は、無線通信部４０１を通じてネットワーク２に送出され、サーバー装置１に送信される。送信情報形成部４１２では、サーバー装置１に対するアクセス要求、無線ＬＡＮ部４０６で受信した１以上の受信信号のＳＳＩＤや受信電界強度を含む情報、携帯電話端末４のユーザーの大規模施設への来訪目的や個人属性を含む情報などが形成される。
【００６２】
また、現在位置特定部４１３は、無線ＬＡＮ部４０６で受信した１以上の受信信号のＳＳＩＤや受信電界強度に基づいて、携帯電話端末４を所持するユーザーが訪れた大規模施設における現在位置を特定する処理を行う。この現在位置特定部４１３では、サーバー装置１の詳細レイアウトＤＢ１０４で管理されている複数の測定位置における受信信号のＳＳＩＤや受信電界強度の情報をサーバー装置１から提供を受けて利用する。これにより、携帯電話端末４は、サーバー装置１から必要情報の提供を受けた後においては、携帯電話端末４において自機の現在位置を特定し、目的とする場所への案内を行える。
【００６３】
なお、携帯電話端末４は、現在年月日、現在曜日、現在時刻を管理する時間制御部や無線通信部４０１を通じて通話を行うための通話処理部、送話器、受話器などをも備えるが、これらについては説明を簡単にするため、図６においては省略している。
【００６４】
そして、携帯電話端末４を所持するユーザーは、大規模施設に来た場合に、携帯電話端末４で施設内案内アプリを実行することにより、サーバー装置１にアクセスする。そして、必要な情報をサーバー装置１に提供することにより、サーバー装置１において、当該ユーザーにとって有用な情報が特定され、これが携帯電話端末４に提供される。携帯電話端末４は、サーバー装置１からの情報を表示するなどしてユーザーに提供する。すなわち、携帯電話端末４のユーザーの手を極力煩わせることが無いようにして、サーバー装置１から当該ユーザーに有用な情報の提供を受けて、これをユーザーに提供できる。
【００６５】
［サーバー装置１の処理］
図７は、図２〜図５を用いて説明したサーバー装置１で行われる処理を説明するためのフローチャートである。この実施の形態のサーバー装置１の制御部１０２は、図７のフローチャートに示す処理を常時実行している。
【００６６】
制御部１０２は、携帯電話端末４から送信されてくる自機宛てのアクセス要求を通信Ｉ／Ｆ１０１を通じて受信するようにしており（ステップＳ１０１）、自機宛てのアクセス要求を受信したか否かを判別する（ステップＳ１０２）。ステップＳ１０２の判別処理において、自機宛てのアクセス要求を受信していないと判別したときには、ステップＳ１０１からの処理を繰り返す。
【００６７】
また、ステップＳ１０２の判別処理で、自機宛てのアクセス要求を受信したと判別したとする。この場合、制御部１０２は、アクセス要求に含まれるＳＳＩＤに基づいて、詳細レイアウトＤＢ１０４の各大規模施設の設置ＡＰのＳＳＩＤ情報を参照し、送信元である携帯電話端末４を所持するユーザーが訪れた大規模施設を特定する（ステップＳ１０３）。すなわち、アクセス要求には、要求元の携帯電話端末４が、無線ＬＡＮ部４０６を通じて受信した信号の送信元を示すＳＳＩＤが含まれている。このＳＳＩＤに基づいて、詳細レイアウトＤＢ１０４を参照することにより、ユーザーが訪れた大規模施設を特定できる。
【００６８】
そして、制御部１０２は、ステップＳ１０３で特定したユーザーが訪れた大規模施設に応じた来訪目的の入力を受け付けるための入力画面（来訪目的の入力画面）を形成し、これをアクセス元の携帯電話端末４に提供する（ステップＳ１０４）。すなわち、ユーザーが訪れた大規模施設がどのような大規模施設かによって来訪目的の候補となる項目は異なる。例えば、ユーザーが立寄った大規模施設が空港である場合には、「搭乗、到着」、「見送り」、「出迎え」、「見学」といった来訪目的が存在するのに対して、ショッピングモールなどの商業施設の場合には、少なくとも「搭乗、到着」といった来訪目的は存在しない。
【００６９】
このため、制御部１０２は、ユーザーが訪れた大規模施設に応じた来訪目的の入力画面を形成し、これを携帯電話端末４に提供する。そして、この実施の形態のサーバー装置１は、大規模施設の種別に応じた来訪目的の入力画面を形成するための情報を、記憶装置１０３に予め記憶保持している。なお、個々の大規模施設ごとに特有の来訪目的が存在する場合もあるので、大規模施設ごとに来訪目的を関連付けた情報を管理してもよい。
【００７０】
この後、制御部１０２は、来訪目的の入力画面を提供した携帯電話端末４からの要求を受信し（ステップＳ１０５）、受信した要求はリコメンド要求か否かを判別する（ステップＳ１０６）。当該リコメンド要求は、携帯電話端末４の識別ＩＤ、無線ＬＡＮ部４０６を通じて受信した１以上の信号のＳＳＩＤと受信電界強度、ユーザーの来訪目的、ユーザーの個人属性を含み、当該ユーザーにとって有用な情報の提供（推薦）を要求するものである。
【００７１】
ステップＳ１０６の判別処理において、受信した要求がアクセス元の携帯電話端末４からリコメンド要求であると判別したとする。この場合、制御部１０２は、まず、現在位置特定部１０６を制御し、特定した大規模施設における携帯電話端末４の現在位置を特定する（ステップＳ１０７）。この場合、制御部１０２は、リコメンド要求に含まれる、携帯電話端末４が無線ＬＡＮ部４０６を通じて受信した１以上の信号のＳＳＩＤと受信電界強度に基づいて、詳細レイアウトＤＢ１０４を参照し、携帯電話端末４の現在位置を特定する。具体的には、詳細レイアウトＤＢ１０４に保持されている各測定位置でのＳＳＩＤと受信電界強度とを利用して、携帯電話端末４の現在位置を特定する。
【００７２】
次に、制御部１０２は、リコメンド情報特定部１０７を制御し、携帯電話端末４のユーザーに提供すべきリコメンド情報を特定する（ステップＳ１０８）。リコメンド情報特定部１０７は、ステップＳ１０７で特定した大規模施設での携帯電話端末４の現在位置と、受信したリコメンド要求に含まれる来訪目的、個人属性に基づき、詳細レイアウトＤＢ１０４や関連情報ＤＢ１０５を参照し、リコメンド情報を特定する。具体的には、上述もしたように、来訪目的が「トイレ」であり、個人属性が「男性」である場合には、現在位置から最も近い「男性用トイレ」を案内する情報がリコメンド情報となる。
【００７３】
そして、制御部１０２は、リコメンド情報形成部１０８を制御し、ステップＳ１０８で特定したリコメンド情報から携帯電話端末４に提供するリコメンド情報を形成する（ステップＳ１０９）。すなわち、リコメンド情報形成部１０８は、リコメンド情報が、現在位置から最も近い「男性用トイレ」である場合には、現在位置から当該「男性用トイレ」までの案内に用いる誘導情報を形成する。この後、制御部１０２は、ステップＳ１０９で形成したリコメンド情報（誘導情報）をアクセス元の携帯電話端末４に送信し（ステップＳ１１０）、ステップＳ１０５からの処理を繰り返す。
【００７４】
また、ステップＳ１０６の判別処理において、受信した要求がリコメンド要求ではないと判別したとする。この場合、制御部１０２は、受信した要求は終了要求か否かを判別する（ステップＳ１１１）。ステップＳ１１１の判別処理で、受信した要求は終了要求ではないと判別したときには、受信した要求に応じた処理を実行し（ステップＳ１１２）、ステップＳ１０５からの処理を繰り返す。なお、ステップＳ１１２で実行される受信した要求に応じた処理の一例を挙げれば、先に提供した情報に関する詳細情報の提供要求に応じて、詳細情報を取得して提供する処理などである。
【００７５】
ステップＳ１１１の判別処理で、受信した要求が終了要求である判別したときには、制御部１０２は、アクセス要求元の携帯電話端末４との間の接続を解放するなどの所定の終了処理を実行し（ステップＳ１１３）、ステップＳ１０１からの処理を繰り返す。
【００７６】
このように、この実施の形態のサーバー装置１は、携帯電話端末４からの要求に応じて、携帯電話端末４のユーザーにとって有用な情報をリコメンド情報として特定し、これを携帯電話端末４を通じてユーザーに提供できるものである。
【００７７】
［携帯電話端末４の処理］
図８、図９は、図６を用いて説明した携帯電話端末４において、施設内案内アプリが実行された場合に行われる処理を説明するためのフローチャートである。また、図１０、図１１は、施設内案内アプリが実行された場合に携帯電話端末４の表示部４０８に表示される表示画面の例を説明するための図である。
【００７８】
携帯電話端末４を所持するユーザーが、種々の大規模施設を訪れた場合に、携帯電話端末４において、例えば、所定のメニューから施設内案内アプリを実行する項目が選択されると、制御部４０２は、図８、図９のフローチャートに示す処理を実行する。そして、制御部４０２は、まず、無線ＬＡＮ部４０６を制御して、無線ＬＡＮアンテナ４０６Ａ及び無線ＬＡＮ部４０６を通じて近隣の１以上のＡＰ（アクセスポイント）からの送信信号を受信し、受信信号の送信元のＡＰのＳＳＩＤを取得する（ステップＳ２０１）。ここで取得したＳＳＩＤは、サーバー装置１に提供してユーザーが訪れた大規模施設の特定に用いられる。
【００７９】
次に、制御部４０２は、所定のＵＲＬ（Uniform Resource Locator）を用いてサーバー装置１が提供する情報提供サイトにアクセスし、ステップＳ２０１で取得した１以上のＳＳＩＤを含むアクセス要求をサーバー装置１に送信する（ステップＳ２０２）。これに応じて、サーバー装置１からユーザーが訪れた大規模施設に応じた来訪目的の入力画面が送信されてくるので、これを受信し、記憶装置４０３に格納する（ステップＳ２０３）。なお、上述もしたように、携帯電話端末４は、送受信アンテナ４０１Ａ及び無線通信部４０１を通じて情報の送受信を行う。
【００８０】
そして、制御部４０２はサーバー装置１からの来訪目的の入力画面を受信したか否かを判別し（ステップＳ２０４）、受信していないと判別したときにはステップＳ２０３からの処理を繰り返す。また、ステップＳ２０４の判別処理において、来訪目的の入力画面を受信したと判別したときには、制御部４０２は受信した来訪目的の入力画面を表示部４０８に表示する（ステップＳ２０５）。この後、制御部４０２は、表示部４０８に表示した来訪目的の入力画面に対する入力を、タッチパネル４０９を通じて受け付ける（ステップＳ２０６）。
【００８１】
図１０（Ａ）は、ステップＳ２０５で表示される来訪目的の入力画面の一例を示す図である。図１０（Ａ）に示した例は、ユーザーが立寄った大規模施設が、「○○ショッピングモール」である場合の来訪目的の入力画面を示している。図１０（Ａ）に示した入力画面では、「○○ショッピングモール」への来訪目的として、「トイレ」、「授乳」、「買い物」、「バーゲン」、「暇つぶし」、「飲食」、「雨やどり」、「休息」、「修理」、「医療」などを選択できるようになっている。なお、例えば、「雨やどり」などの来訪目的は、来訪時の天候に応じて、追加したり、追加しないようにしたりできる。
【００８２】
そして、制御部４０２は、図１０（Ａ）に示した入力画面を通じて、来訪目的が選択された後に「ＯＫ」ボタンが操作されたか否かを判別する（ステップＳ２０７）。ステップＳ２０７の判別処理において、来訪目的が選択された後に「ＯＫ」ボタンは操作されていないと判別したときには、制御部４０２は、「終了」ボタンが操作されたか否かを判別する（ステップＳ２０８）。
【００８３】
ステップＳ２０８の判別処理で、「終了」ボタンが操作されたと判別したときには、終了要求をサーバー装置１に送信して、サーバー装置１との間の接続を解放するなどの所定の終了処理を行って（ステップＳ２０９）、この図８、図９に示す処理を終了する。すなわち、施設内案内アプリを終了する。また、ステップＳ２０８の判別処理で、「終了」ボタンは操作されていないと判別したときには、有効な操作は行われていないので、ステップＳ２０６からの処理を繰り返し、来訪目的の入力受け付けを続行する。
【００８４】
一方、ステップＳ２０７の判別処理において、来訪目的が選択された後に「ＯＫ」ボタンが操作されたと判別したとする。この場合、制御部４０２は、無線ＬＡＮ部４０６を制御して、近隣の１以上のＡＰからの送信信号を受信して、ＳＳＩＤと受信電界強度を検出する（ステップＳ２１０）。ここで、無線ＬＡＮ部４０６が受信するＡＰからの信号は、接続可能なＡＰだけ出なく、携帯電話端末４とは接続できないＡＰからの送信信号であってもよい。
【００８５】
そして、制御部４０２は、送信情報形成部４１２を制御して、リコメンド要求を形成し、これをサーバー装置１に送信する（ステップＳ２１１）。ここで、リコメンド要求は、携帯電話端末４の識別ＩＤ、携帯電話端末４が受信した１以上のＡＰからの送信信号のＳＳＩＤと受信電界強度、ステップＳ２０６で受け付けた来訪目的、記憶装置４０３に予め登録されているユーザーの個人属性を含む。
【００８６】
この後、制御部４０２は、図９のステップＳ２１２の処理に進む。そして、制御部４０２は、ステップＳ２１１で送信したリコメンド要求に応じて、サーバー装置１から送信されてくるリコメンド情報を受信して、記憶装置４０３に格納する処理を行う（ステップＳ２１２）。そして、制御部４０２は、リコメンド情報を受信したか否かを判別し（ステップＳ２１３）、受信していないと判別したときには、ステップＳ２１２からの処理を繰り返す。また、ステップＳ２１３の判別処理において、サーバー装置１からのリコメンド情報を受信したと判別したときには、制御部４０２は、受信したリコメンド情報を表示部４０８に表示する処理を開始する（ステップＳ２１４）。
【００８７】
例えば、図１０（Ａ）に示したように、来訪目的が「トイレ」であるリコメンド要求をサーバー装置１に送信したとする。この場合、サーバー装置１からのリコメンド情報は、例えば、図１０（Ｂ）に示すように、ユーザーが訪れた大規模施設における現在位置から最寄りのトイレまでの経路を案内する案内画像となる。制御部４０２は、図１０（Ｂ）に示す案内画像を表示部４０８に表示して、トイレまでの経路案内を行う。この場合、制御部４０２は、サーバー装置１から該当する大規模施設のユーザーが現在位置を含むフロアの計測位置ごとのＳＳＩＤと受信電界強度を示す情報の提供を受けておく。
【００８８】
これにより、制御部４０２は、当該情報と無線ＬＡＮ部４０６からの受信信号のＳＳＩＤと受信電界強度を用いて、携帯電話端末４の現在位置を特定するように現在位置特定部４１３を制御する。そして、現在位置特定部４１３により特定された携帯電話端末４の現在位置に応じて、案内画像内で携帯電話端末４の現在位置をリアルタイムに変化させ、図１０（Ｂ）において点線矢印で示した推奨経路を辿れているか否かをユーザーに明示することもできる。なお、図１０（Ｂ）において、黒丸で示した位置がユーザーの現在位置である。
【００８９】
また、図１０（Ａ）の来訪目的の入力画面において、例えば「バーゲン」が来訪目的として選択された場合を考える。この場合、バーゲンを開催している店舗が複数ある場合には、どの店舗に案内すべきか特定できない。そこで、サーバー装置１からは、例えば、図１１（Ａ）に示すように、バーゲンを開催している店舗の選択画面がリコメンド情報として提供される。
【００９０】
このため、ステップＳ２１４の表示処理においては、まず、図１１（Ａ）に示すリコメンド画像を表示部４０８に表示して、店舗の選択を受け付け、その店舗に関する情報の提供をサーバー装置１に要求する。図１１（Ａ）では、「△△ゴルフ」という店舗が選択された場合を示している。そして、制御部４０２は、選択された「△△ゴルフ」に関するリコメンド情報の提供をサーバー装置１に要求する。これに応じて、例えば、図１１（Ｂ）に示すような「△△ゴルフ」に関するリコメンド情報がサーバー装置１から提供されたとする。
【００９１】
図１１（Ｂ）には、「△△ゴルフ」に関するリコメンド情報として、「売り場への経路案内」、「割引券の配布場所への経路案内」、「バーゲン詳細情報」の３つがあったとする。そして、ステップＳ２１４においては、図１１（Ｂ）に示したリコメンド情報に対する選択入力を受け付け、選択されたリコメンド情報の提供をサーバー装置１に要求する。これに応じてサーバー装置１から提供されるリコメンド情報を、携帯電話端末４は受信し、これを制御部４０２がステップＳ２１４において表示部４０８に表示できる。
【００９２】
このように、ステップＳ２１４のリコメンド情報表示処理は、ステップＳ２１２で受信したリコメンド情報を表示する。さらに細かなリコメンド情報が存在する場合には、制御部４０２は送信情報形成部４１２を制御して、ユーザーからの指示に応じたリコメンド情報の提供要求を形成してサーバー装置１に送信し、目的とする情報を得て表示する処理をも行う。
【００９３】
そして、ステップＳ２１４のリコメンド情報表示処理（サブルーチン）は、図１０（Ｂ）、図１１（Ａ）、図１１（Ｂ）等のリコメンド情報の表示画面において、「終了」ボタン、または、「戻る」ボタンのいずれかが操作された場合に終了する。このため、制御部４０２は、ステップＳ４１２の処理の後、ユーザーによって操作されたのは、「終了」ボタンか否かを判別する（ステップＳ２１５）。
【００９４】
ステップＳ２１５の判別処理において、「終了」ボタンは操作されていないと判別したときには、「戻る」ボタンが操作されたと判別し、図８に示したステップＳ２０５からの処理を繰り返す。すなわち、図１０（Ａ）を用いて説明した、来訪目的の入力画面を表示して来訪目的を入力する処理から繰り返される。
【００９５】
また、ステップＳ２１５の判別処理において、「終了」ボタンが操作されたと判別したとする。この場合、制御部４０２は、終了要求を形成してサーバー装置１に送信し、サーバー装置１との間の接続を解放するなどの所定の終了処理を行って（ステップＳ２１６）、この図８、図９に示す処理を終了する。
【００９６】
このように、この実施の形態の携帯電話端末４は、サーバー装置１に対して必要な情報を提供し、携帯電話端末４のユーザーにとって有用な情報をサーバー装置１から提供を受けて、これをユーザーに対して提供できるものである。
【００９７】
［実施の形態の効果］
この実施の形態の案内情報提供装置は、ユーザーが種々の大規模施設に訪れた場合に、その大規模施設への来訪目的やユーザーの個人属性に応じて、当該ユーザーに提供すべき当該大規模施設に関する情報を的確に特定し、これをユーザーに提供できる。すなわち、ユーザーの来訪目的や個人属性に応じて、ユーザーが訪れた大規模施設について決め細かくスムーズに案内できる。換言すれば、ユーザーのＴ（Time）Ｐ（Place）Ｏ（Occasion）に応じた決め細かな大規模施設に関する案内が実現できる。
【００９８】
特に、空港、ショッピングモール、ショッピングセンター、デパートなどの屋内大規模施設を案内する場合に適用することにより、ユーザーの来訪目的と個人属性に応じた案内を可能にする従来に無いリコメンド型屋内ナビゲーション装置である案内情報提供装置を実現できる。
【００９９】
［変形例］
上述した実施の形態では、サーバー装置１と携帯電話端末４とが協働して、案内情報提供装置を構成する場合について説明した。そして、案内情報の特定などの負荷の大きな処理は、サーバー装置１側で行うようにした。しかし、これに限るものではない。図４を用いて説明した詳細レイアウトＤＢ１０４や図５を用いて説明した関連情報ＤＢ１０５を携帯電話端末４が備えている場合には、全ての処理を携帯電話端末４で行うこともできる。この場合には、サーバー装置１が備えていたリコメンド情報特定部１０７やリコメンド情報形成部１０８の機能を携帯電話端末４に設けるようにすればよい。
【０１００】
また、ユーザーが訪れた大規模施設の詳細レイアウトデータと関連情報については、ネットワーク２に接続されたサーバー装置から提供を受けるが、リコメンド情報の特定や出力するリコメンド情報の形成を携帯電話端末４で行う構成とすることもできる。この場合には、携帯電話端末４に詳細レイアウトＤＢ１０４や関連情報ＤＢ１０５を保持するための記憶容量の大きな記憶装置を設ける必要が無い。
【０１０１】
また、大規模施設は、駅、空港、ショッピングモール、ショッピングセンター。デパートに限るものではなく、東京スカイツリーや東京タワーなどのような観光スポットや博物館、美術館、水族館、遊園地などのテーマパークなどであってもよい。すなわち、この発明は、種々の大規模施設の詳細レイアウトとその関連情報とが整備されていれば、種々の大規模施設内を案内する場合に利用可能である。また、必ずしも屋内施設の内部を案内する場合に限るものではなく、テーマパークのように、エリアが限定された屋外施設内を案内する場合にも適用可能であるし、屋外エリアと屋内エリアとからなる大規模施設内を案内する場合に適用可能である。
【０１０２】
また、上述した実施の形態では、Ｗｉ−Ｆｉのアクセスポイント情報から施設内、店舗内等の自己位置を特定する技術を用いるようにしたが、これに限るものではない。図６に示したように携帯電話端末４は、ＧＰＳ部４０７及びＧＰＳアンテナ４０７Ａをも備えている。このため、ＧＰＳ機能を用いると共に、屋外、屋内の基地局情報をも考慮して、自己位置を特定する方法を用いてももちろんよい。
【０１０３】
また、図６を用いて説明したように、携帯電話端末４は、音声処理部４１０及びスピーカ４１１をも備えている。このため、表示画像だけでなく、音声メッセージによって案内情報を提供することも可能である。特に、大規模施設の屋内案内をする場合にも、自動車に搭載されたナビゲーション装置と同様に、音声による案内を行うことも可能である。当該音声案内は、例えば、制御部４０２が、地図情報に相当する大規模施設のレイアウト情報と、自機の現在位置とに基づいて、「お酒売り場の角を右に曲がってください。」などといったメッセージを形成し、これを音声処理部４１０及びスピーカ４１１を通じて音声出力する構成とすればよい。
【０１０４】
また、上述した実施の形態では、多数の大規模施設を案内の対象としたが、これに限るものではない。例えば、サーバー装置１を、無線ＬＡＮネットワークに接続された１つの大規模施設の情報だけを管理するローカルなサーバー装置とする。そして、当該サーバー装置が、その大規模施設についての案内情報のみを無線ＬＡＮを通じて接続される携帯電話端末に提供する構成とする。これにより、１つの大規模施設にのみ対応可能なローカルな案内情報提供装置を実現できる。
【０１０５】
また、上述した実施の形態において、個人属性は、性別、年齢、趣味を例示として示したが、これに限るものではない。家族構成、職種、勤務先、年収、所属団体、使用ＳＮＳ（Social Networking Service）、好きな色、好きな本、好きな作家、好きな食べ物の好み、好きな音楽、好きな音楽家など、ユーザー個人に関する種々の情報を個人属性として利用することができる。そして、来訪目的と種々の個人属性との関連において、ユーザーに提供すべき（リコメンドすべき）情報を特定し、これを提供できる。
【０１０６】
［その他］
上述した実施の形態の説明からも分かるように、レイアウト管理手段の機能は、主にサーバー装置１の詳細レイアウトＤＢ１０４が実現し、現在位置特定手段の機能は、主にサーバー装置１の現在位置特定部１０６が実現している。また、来訪目的取得手段と個人属性取得手段の機能は、主にサーバー装置１の通信Ｉ／Ｆ１０１と制御部１０２とが協働して実現し、特定手段の機能はサーバー装置１のリコメンド情報特定部１０７が実現し、案内情報提供手段の機能は、サーバー装置のリコメンド情報形成部１０８が実現している。また、提供情報記憶手段の機能は、主にサーバー装置１の関連情報ＤＢ１０５が実現している。また、変更情報受付手段の機能は、通信Ｉ／Ｆ１０１及び制御部１０２が実現し、変更手段の機能は、ＤＢ更新部１０９が実現している。
【０１０７】
また、図７〜図９に示した処理を行なう方法が、この発明の案内情報提供方法に対応している。また、図７に示した処理を実行するプログラムを形成し、サーバー装置に実行可能なように搭載し、また、図８、図９に示した処理を実行するプログラムを形成し、携帯電話端末、高機能携帯電話端末、タブレットＰＣなどに実行可能なように搭載することによって、この発明の案内情報提供装置を実現できる。また、サーバー装置１の現在位置特定部１０６、リコメンド情報特定部１０７、リコメンド情報形成部１０８、ＤＢ更新部１０９の各機能は、制御部１０２で実行されるソフトウェアによって制御部１０２の機能として実現することもできる。同様に、高機能携帯電話端末１の送信情報形成部４１２、現在位置特定部４１３の各機能は、制御部４０２で実行されるソフトウェアによって制御部４０２の機能として実現することもできる。
【符号の説明】
【０１０８】
１…施設内情報提供サーバー装置、１０１…通信Ｉ／Ｆ、１０２…制御部、１０３…記憶装置、１０４…詳細レイアウトＤＢ、１０５…関連情報ＤＢ、１０６…現在位置特定部、１０７…リコメンド情報特定部、１０８…リコメンド情報形成部、１０９…ＤＢ更新部、２…ネットワーク、３…ＡＰ（アクセスポイント）、４…高機能携帯電話端末、４０１…無線通信部、４０１Ａ…送受信アンテナ、４０２…制御部、４０３…記憶装置、４０４…操作部、４０５…センサ部、４０６…無線ＬＡＮ部、４０６Ａ…無線ＬＡＮアンテナ、４０７…ＧＰＳ部、４０７Ａ…ＧＰＳアンテナ、４０８…表示部、４０９…タッチパネル、４１０…音声処理部、４１１…スピーカ、４１２…送信情報形成部、４１３…現在位置特定部
【図１】
2014178170.tif 000003
【図２】
2014178170.tif 000004
【図３】
2014178170.tif 000005
【図４】
2014178170.tif 000006
【図５】
2014178170.tif 000007
【図６】
2014178170.tif 000008
【図７】
2014178170.tif 000009
【図８】
2014178170.tif 000010
【図９】
2014178170.tif 000011
【図１０】
2014178170.tif 000012
【図１１】
2014178170.tif 000013